(57)【要約】【課題】撮像装置の使用者各々に対して操作上の制限を与え、撮像装置単体で複数の使用者を的確に管理して撮像装置の共用性を実現する。【解決手段】主記憶部２０６内にユーザ・アカウント情報と制限ｐｏｌｉｃｙの２つの認証情報を保持する。そして、装置全体を制御する主制御部２０１内に具備する制御判定部２０１１は、この２つの認証情報を制御動作の判断基準として用いる。即ち、本実施の形態のデジタルカメラは、使用者に対して前記ユーザ・アカウント情報に基づく認証を行い、その結果反映すべき前記使用者に対する制限ｐｏｌｉｃｙを選択する。そして、前記使用者のカメラ操作に対して制御判定部２０１１は、前記制限ｐｏｌｉｃｙにより許可された制御動作のみを前記使用者に対して提供するようにした。【選択図】図８
2007142655.tif 000002
【特許請求の範囲】
【請求項１】
撮像画像をデジタル信号に変換し、画像ファイルとして記録する撮像装置において、
当該撮像装置の登録使用者を規定する情報である登録使用者情報、及び前記登録使用者に対して当該撮像装置の使用に関する制限事項が登録された使用制限情報を記憶する記憶手段と、
当該撮像装置の使用者に対して前記登録使用者情報に基づく認証を行う認証手段と、
前記認証手段の認証結果に応じて、前記使用者に対する使用制限情報を選択する選択手段と、
当該撮像装置への操作による前記使用者の要求の可否を、前記選択手段により選択された使用制限情報に基づいて判定し、その判定結果に応じた制御動作を行う判定手段とを有することを特徴とする撮像装置。
【請求項２】
前記登録使用者情報は、少なくとも、当該撮像装置の使用者の登録情報と、前記使用者間でのリソース共有を目的としたグループの登録情報とを有することを特徴とする請求項１に記載の撮像装置。
【請求項３】
前記使用制限情報は、少なくとも、前記使用者に対する制限事項と、前記グループに対する制限事項とが記載された情報であることを特徴とする請求項２に記載の撮像装置。
【請求項４】
前記使用者とは、当該撮像装置の管理者と該管理者が許可した制限使用者とを含み、
前記制限使用者の制限事項は、前記管理者が設定することを特徴とする請求項１から３の何れかに記載の撮像装置。
【請求項５】
前記使用制限情報には、前記使用者以外の未登録使用者に対する制限事項が記載されており、
該未登録使用者の制限事項は、当該撮像装置の管理者が設定することを特徴とする請求項１から４の何れかに記載の撮像装置。
【請求項６】
前記登録使用者情報の登録情報として認証用のレジスタを有し、該認証用のレジスタにパスワードの登録が可能なように構成し、
前記認証手段は、前記使用者が当該撮像装置を操作するときに、前記パスワードと同一情報の入力の要求を行うことを特徴とする請求項１から５の何れかに記載の撮像装置。
【請求項７】
前記使用制限情報に登録する制限事項とは、
前記画像ファイルを記録する記憶手段へのデータ保存の許可／禁止、前記記憶手段からのデータの読み出しの許可／禁止、前記記憶手段上のデータ削除の許可／禁止、前記記憶手段上の画像ファイルのサムネイル表示の許可／禁止、及びネットワークを含む外部機器からの前記記憶手段上のデータに対するアクセスの許可／禁止、の何れか又は全てを含むことを特徴とする請求項１から６の何れかに記載の撮像装置。
【請求項８】
撮像画像をデジタル信号に変換し、画像ファイルとして記録する撮像装置の制御方法であって、
当該撮像装置の登録使用者を規定する情報である登録使用者情報、及び前記登録使用者に対して当該撮像装置の使用に関する制限事項が登録された使用制限情報を記憶する記憶工程と、
当該撮像装置の使用者に対して前記登録使用者情報に基づく認証を行う認証工程と、
前記認証工程の認証結果に応じて、前記使用者に対する使用制限情報を選択する選択工程と、
当該撮像装置への操作による前記使用者の要求の可否を、前記選択工程により選択された使用制限情報に基づいて判定し、その判定結果に応じた制御動作を行う判定工程とを有することを特徴とする制御方法。
【請求項９】
撮像画像をデジタル信号に変換し、画像ファイルとして記録するを実行するための、コンピュータで読み取り可能なプログラムであって、
前記撮像装置の登録使用者を規定する情報である登録使用者情報、及び前記登録使用者に対して前記撮像装置の使用に関する制限事項が登録された使用制限情報を記憶する記憶ステップと、
前記撮像装置の使用者に対して前記登録使用者情報に基づく認証を行う認証ステップと、
前記認証ステップの認証結果に応じて、前記使用者に対する使用制限情報を選択する選択ステップと、
前記撮像装置への操作による前記使用者の要求の可否を、前記選択ステップにより選択された使用制限情報に基づいて判定し、その判定結果に応じた制御動作を行う制御判定ステップとを有することを特徴とするプログラム。
【発明の詳細な説明】
【技術分野】
【０００１】
本発明は、デジタルカメラ等の撮像装置及びその制御方法、並びに前記制御方法を実行するためのプログラムに関する。
【背景技術】
【０００２】
従来、デジタルカメラは、ＣＣＤセンサ等の撮像素子を有し、この撮像素子を通して撮影した動画や静止画像等を画像データとして取り込み、記憶装置に格納したり、表示部に表示したりする機能を有する。このような従来のデジタルカメラの制御機構において、使用者を特定したり制限したりする機構、つまりカメラ単体で複数の撮影者を管理するような機構は存在しないし、撮影シーケンスにおいてもそのような機構は必要とされていなかった。
【０００３】
近年、デジタルカメラがネットワークに接続されるようになると、機器間での認証の必要性が生じている。例えば、撮影したデジタル画像をインターネット・アドレスへ送信するインターネットカメラにおいて、所定のインターネット・アドレスに接続するためのネットワーク・ログイン認証を与えるネットワーク認証装置などが提案されている（例えば、特許文献１）。
【特許文献１】特開２０００−１３４５２２号公報
【発明の開示】
【発明が解決しようとする課題】
【０００４】
しかしながら、上記特許文献１に記載された技術では、カメラ単体で複数の撮影者を管理するような機能は備えていなかった。
【０００５】
即ち、従来のデジタルカメラは、撮影者と画像入力機器という関係が成立するのみで、カメラ本体は撮影者の固体を認識しない。電源を投入し、シャッター釦を押した者がその撮影結果の所有者となるだけでなく、例えばＣＦカード（メモリカード）等のメディアに書き込みされた状態のデータを授受することで、第三者が簡単に該カメラのプロダクトを享受することができるのである。また、直接第三者が該カメラシステムを簡単に利用することができ、しかも一部高級機に搭載されているカスタムファンクション等の特殊設定内容についても、変更・登録ができてしまう。
【０００６】
このような、デジタルカメラと、所有者、撮影使用者、或いは撮影画像享受者（第三者）との関係は、健全とはいえず、カメラの盗難、データの盗難、悪戯等の悪意の行動に対して無防備であった。
【０００７】
また、最近のハードディスク等の記憶装置の小型化・大容量化は、それらをデジタルカメラ筐体内部に具備することを可能にし、何時もカードメディアへの書き込みを必要とする環境を必要としなくなっている。このような環境下では、例えば特定使用者の以外の者がカメラ外に撮影画像を持ち出すことを禁止するといったように、一旦デジタルカメラの筐体内部の記憶部に記憶したデータの取り出し方法の確立が必要とされている。
【０００８】
加えて、ネットワーク機器と化したデジタルカメラを利用して安全に第三者へのサービス等を提供するためにも、カメラ使用者各々に対してカメラ操作の制限・制約を与える必要性があった。
【０００９】
本発明は上記従来の問題点に鑑み、撮像装置の使用者各々に対して操作上の制限を与え、撮像装置単体で複数の使用者を的確に管理して撮像装置の共用性を実現した撮像装置及びその制御方法、並びに制御プログラムを提供することを目的とする。
【課題を解決するための手段】
【００１０】
本発明は上記目的を達成するため、本発明に係る撮像装置は、例えば、撮像画像をデジタル信号に変換し、画像ファイルとして記録する撮像装置において、当該撮像装置の登録使用者を規定する情報である登録使用者情報、及び前記登録使用者に対して当該撮像装置の使用に関する制限事項が登録された使用制限情報を記憶する記憶手段と、当該撮像装置の使用者に対して前記登録使用者情報に基づく認証を行う認証手段と、前記認証手段の認証結果に応じて、前記使用者に対する使用制限情報を選択する選択手段と、当該撮像装置への操作による前記使用者の要求の可否を、前記選択手段により選択された使用制限情報に基づいて判定し、その判定結果に応じた制御動作を行う判定手段とを有することを特徴とする。
【００１１】
また、本発明に係る制御方法は、例えば、撮像画像をデジタル信号に変換し、画像ファイルとして記録する撮像装置の制御方法であって、当該撮像装置の登録使用者を規定する情報である登録使用者情報、及び前記登録使用者に対して当該撮像装置の使用に関する制限事項が登録された使用制限情報を記憶する記憶工程と、当該撮像装置の使用者に対して前記登録使用者情報に基づく認証を行う認証工程と、前記認証工程の認証結果に応じて、前記使用者に対する使用制限情報を選択する選択工程と、当該撮像装置への操作による前記使用者の要求の可否を、前記選択工程により選択された使用制限情報に基づいて判定し、その判定結果に応じた制御動作を行う判定工程とを有することを特徴とする。
【００１２】
また、本発明に係るプログラムは、例えば、撮像画像をデジタル信号に変換し、画像ファイルとして記録する撮像装置の制御方法を実行するための、コンピュータで読み取り可能なプログラムであって、前記撮像装置の登録使用者を規定する情報である登録使用者情報、及び前記登録使用者に対して前記撮像装置の使用に関する制限事項が登録された使用制限情報を記憶する記憶ステップと、前記撮像装置の使用者に対して前記登録使用者情報に基づく認証を行う認証ステップと、前記認証ステップの認証結果に応じて、前記使用者に対する使用制限情報を選択する選択ステップと、前記撮像装置への操作による前記使用者の要求の可否を、前記選択ステップにより選択された使用制限情報に基づいて判定し、その判定結果に応じた制御動作を行う制御判定ステップとを有することを特徴とする。
【発明の効果】
【００１３】
本発明によれば、撮像装置の使用者各々に対して操作上の制限を与えることができ、撮像装置単体で複数の使用者を的確に管理して撮像装置の共用性を実現することが可能になる。
【発明を実施するための最良の形態】
【００１４】
以下、本発明の実施の形態について、図面を参照しながら説明する。
【００１５】
＜デジタルカメラの要部構成＞
図１は、本発明の実施の形態における撮像装置の一例であるデジタルカメラの要部構成を示すブロック図である。なお、本実施の形態における撮像装置は、デジタルカメラに限るものではなく、カメラ付き携帯電話等のデジタルカメラとして動作する装置にも適用することができることは言うまでもない。
【００１６】
本実施の形態では、撮影画像をデジタル信号に変換した後に画像ファイルとして記録可能な通常のデジタルカメラの構成に、デジタルカメラの使用者に対して制限・制約を与える制限・制約機構を付加した点に特徴がある。以下、具体的に説明する。
【００１７】
本実施の形態のデジタルカメラは、主制御部２０１、ＲＯＭ２０２、副記憶部２０３、周辺制御部２０４、撮像・画像処理部２０５、主記憶部２０６、及び表示部２０７を有する。ここで、撮像・画像処理部２０５は、ＣＣＤセンサ、ＣＭＯＳイメージセンサ等の撮像素子を有し、当該撮像素子を用いて被写体を撮影する。また、主記憶部２０６は、不揮発性メモリで構成する。
【００１８】
主制御部２０１は、ＣＰＵ（Central Processing Unit）等で構成され、当該デジタルカメラ全体の動作を制御するものであり、本実施の形態で実現する使用者に対する制限・制約の処理も制御する。主制御部２０１は、ＲＯＭ２０２に記憶されているプログラムコードを基に制御を実行する。周辺制御部２０４は、主制御部２０１の指示に従い、撮像・画像処理部２０５や主記憶部２０６等の周辺ユニットの制御を行う。撮像・画像処理部２０５は、撮像素子を用いて被写体を撮影し、当該被写体の撮像画像をデジタル信号に変換し、当該デジタル信号に所定の信号処理を行う。
【００１９】
撮影画像は、撮像・画像処理部２０５において処理され、副記憶部２０３に一時記憶される。副記憶部２０３は、例えばＳＤＲＡＭ等で構成され、高速アクセス可能な揮発性記憶部とする。副記憶部２０３に一時記憶された撮影画像は、ハードディスク等の主記憶部２０６へ転送されるか、周辺制御部２０４を介して表示部２０７や外部へ転送される。
【００２０】
上記した制限・制約機構は、主記憶部２０６内にレジストリ領域２０６１，２０６２を有する。レジストリ領域２０６１，２０６２は、デジタルカメラの登録使用者情報であるユーザ・アカウント（user account）と、前記各登録使用者に対して当該カメラの使用制限規則を登録した制限ｐｏｌｉｃｙの２つの認証情報をそれぞれ保持する。これら２つの認証情報を、主制御部２０１内に設けた制御判定部２０１１の判断基準として用いるものである。即ち、制御判定部２０１１は、前記制限ｐｏｌｉｃｙに基づいて、カメラ操作による使用者の要求の可否を判定し、前記制限ｐｏｌｉｃｙにより許可された制御動作のみを該使用者に対して提供する。
【００２１】
このように、本実施の形態によるデジタルカメラは、前記した認証情報を適宜用いて、登録使用者の撮影・データ読み出し・データ閲覧・ネットワーク接続等におけるカメラ操作の許可・拒否を制御判定部２０１１において判定するように構成したものである。
【００２２】
なお、主記憶部２０６とは別に、フラッシュＲＡＭ等の不揮発性書換え可能なメモリを搭載することで、このメモリに上記認証情報をバックアップすることも可能である。
【００２３】
＜ユーザ・アカウント及び制限ｐｏｌｉｃｙのレジスタ構成＞
図２は、図１中の主記憶部２０６に格納されるユーザ・アカウント及び制限ｐｏｌｉｃｙの定義例を示すレジスタ構成図である。なお、同図中の各レジスタの名称は仮称であり、特に限定しない。
【００２４】
ユーザ・アカウントのレジストリ領域２０６１内には、図２に示すように、まず、ｇｒｏｕｐ（グループ）属性とｍｅｍｂｅｒ（メンバー）属性との格納領域が確保される。ｇｒｏｕｐ属性には、登録された各グループ毎に「ｇｒｏｕｐ＿ｉｄ」が設けられる。さらに、その下位層にはグループのメンバー（登録ｕｓｅｒ）情報（図２中のレジスタ「ｇｒｏｕｐ＿ｍｅｍｂｅｒ」）、グループに対するｐｏｌｉｃｙ指示（図２中のレジスタ「ｇｒｏｕｐ＿ｐｏｌｉｃ＿ｉｄ」）が置かれる。「ｇｒｏｕｐ＿ｐｏｌｉｃ＿ｉｄ」は、制限ｐｏｌｉｃｙの参照時のＩＤとして用いられる。
【００２５】
ユーザ・アカウント内のメンバー属性には、管理者属性（図２中のレジスタ「ａｄｍｉｎ」）及び各使用者に対する「ｕｓｅｒ＿ｉｄ」が設けられる。前記「ａｄｍｉｎ」の下位層には、管理者パスワード（図２中のレジスタ「ａｄｍｉｎ＿  ｐａｓｓｗｄ」）と、制限管理者ＩＤ（図２中のレジスタ「ａｄｍｉｎ＿ｕｓｅｒ＿ｉｄ」）とが置かれる。
【００２６】
前記「ｕｓｅｒ＿ｉｄ」毎の一般の制限使用者に対しては、カメラログイン用の使用者パスワード、制限ｐｏｌｉｃｙ指示、及びその使用者のグループ属性が置かれる。カメラログイン用の使用者パスワードは、図２中のレジスタ「ｕｓｅｒ＿ｐａｓｓｗｄ」に相当する。また、制限ｐｏｌｉｃｙ指示は、図２中のレジスタ「ｕｓｅｒ＿ｐｏｌｉｃ＿ｉｄ」に相当し、その使用者のグループ属性は、図２中のレジスタ「ｕｓｅｒ＿ｇｒｏｕｐ＿ｉｄ」）に相当する。
【００２７】
一方、制限ｐｏｌｉｃｙのレジストリ領域２０６２内には、図２に示すように、「ｃａｍｅｒａ＿ｐｏｌｉｃｙ」、「ｕｓｅｒ＿ｐｏｌｉｃｙ」、及び「ｇｒｏｕｐ＿ｐｏｌｉｃｙ」が格納されている。「ｃａｍｅｒａ＿ｐｏｌｉｃｙ」はゲスト使用者等の制限事項を含み、「ｕｓｅｒ＿ｐｏｌｉｃｙ」は一般制限使用者に対する制限事項を含み、「ｇｒｏｕｐ＿ｐｏｌｉｃｙ」はグループに対する制限事項を含む。
【００２８】
前記「ｃａｍｅｒａ＿ｐｏｌｉｃｙ」としては、制限管理者の設定許可パスワード（図２中のレジスタ「ｃ＿ｐｏｌｉｃ＿ａｄｍｉｎ＿ｐａｓｓｗｄ」）の他に、次の（a）〜（ｇ）を例示する。
【００２９】
（a）制限管理者のログイン試行回数制限値（図２中のレジスタ「ｃ＿ｐｏｌｉｃ＿ｌｏｃｋ＿ｎｕｍ」）
（b）外部機器からのアクセス許可（図２中のレジスタ「ｃ＿ｐｏｌｉｃ＿ｌｏｇｉｎ」）
（c）カメラロック解除設定レジスタ（図２中のレジスタ「ｃ＿ｐｏｌｉｃ＿ｌｏｃｋ＿ｒｅｌ」）
（d）ゲスト使用者（未定義使用者：「ｃ＿ｐｏｌｉｃ＿ｇｕｅｓｔ」以下の項目）に対する撮影ファイルの保存許可（撮影操作の許可：図２中のレジスタ「ｃ＿ｐｏｌｉｃ＿ｆｗｒ」）
（ｅ）ＣＦカードへのデータ書き出しの許可（図２中のレジスタ「ｃ＿ｐｏｌｉｃ＿ｆｒｄ」）
（ｆ）ファイル消去の許可（図２中のレジスタ「ｃ＿ｐｏｌｉｃ＿ｆｄｅｌ」）
（ｇ）サムネイル表示の許可（図２中のレジスタ「ｃ＿ｐｏｌｉｃ＿ｔｈｕｍｂ」）
前記ｕｓｅｒ＿ｐｏｌｉｃｙとしては、撮影ファイルの保存許可（撮影操作の許可：図２中のレジスタ「ｕ＿ｐｏｌｉｃ＿ｆｗｒ」）の他に、次の（a）〜（d）を例示する。
【００３０】
（a）ＣＦカードへのデータ書き出しの許可（図２中のレジスタ「ｕ＿ｐｏｌｉｃ＿ｆｒｄ」）
（b）ファイル消去の許可（図２中のレジスタ「ｕ＿ｐｏｌｉｃ＿ｆｄｅｌ」）
（c）サムネイル表示の許可（図２中のレジスタ「ｕ＿ｐｏｌｉｃ＿ｔｈｕｍｂ」）
（d）外部機器からのアクセス許可（図２中のレジスタ「ｕ＿ｐｏｌｉｃ＿ｌｏｇｉｎ」）
同様に、前記「ｇｒｏｕｐ＿ｐｏｌｉｃｙ」としては、撮影ファイルの保存許可（撮影操作の許可：図２中のレジスタ「ｇ＿ｐｏｌｉｃ＿ｆｗｒ」）の他に、次の（a）〜（d）を例示する。
【００３１】
（a）ＣＦカードへのデータ書き出しの許可（図２中のレジスタ「ｇ＿ｐｏｌｉｃ＿ｆｒｄ」）
（b）ファイル消去の許可（図２中のレジスタ「ｇ＿ｐｏｌｉｃ＿ｆｄｅｌ」）
（c）サムネイル表示の許可（図２中のレジスタ「ｇ＿ｐｏｌｉｃ＿ｔｈｕｍｂ」）
（d）外部機器からのアクセス許可（図２中のレジスタ「ｇ＿ｐｏｌｉｃ＿ｌｏｇｉｎ」）
＜認証手続きの設定＞
（Ａ）全体的フロー
本実施の形態では、上述したように、デジタルカメラにユーザ・アカウントと制限ｐｏｌｉｃｙを設け、使用者に制限を設けるものであるが、このようなユーザ概念を持つカメラには管理者が必要である。管理者は、該デジタルカメラを使用する使用者を定義し、該使用者各々がカメラをどの様に扱うことができるのかを予め定義する作業について責任を担う。
【００３２】
管理者は、事前に独自のパスワードを設定する。それは、メーカーがプロダクト・キー（ｐｒｏｄｕｃｔ  ｋｅｙ）として与えても良い。管理者パスワードによるログインは、カメラの全設定権をその使用者に与えることとなるので、主管理者以外の使用者に対して制限ｐｏｌｉｃｙの一部の書換えを認めたい場合には、予め制限付管理者パスワードを設定しておくと良い。本実施の形態は、そのようなパスワードを、図２で説明したように「ｃ＿ｐｏｌｉｃ＿ａｄｍｉｎ＿ｐａｓｓｗｄ」として制限ｐｏｌｉｃｙのレジストリ領域２０６２内に保持している。
【００３３】
図３は、管理者による認証手続き設定の全体的な処理を示すフローチャートであり、この処理を実現するための制御プログラムはＲＯＭ２０２に格納され、主制御部２０１によって読み出されて実行される。
【００３４】
使用者がカメラのユーザインタフェースを操作することにより、当該認証手続き設定処理の制御に入る。該操作に応答して、主制御部２０１は管理者パスワードの入力要求を出す（ステップＳ３０１）。使用者が管理者パスワードを入力すると、主制御部２０１はそれが制限ｐｏｌｉｃｙのレジストリ領域２０６２内のレジスタ「ｃ＿ｐｏｌｉｃ＿ａｄｍｉｎ＿ｐａｓｓｗｄ」内容と一致するのかを判定する（ステップＳ３０２）。
【００３５】
この判定の不一致は本実施の形態では３回まで許容し（ステップＳ３０３）、それ以降は、ロック解除操作以外のカメラの制御をロックする（ステップＳ３０４）。ロックの解除方法は、制限ｐｏｌｉｃｙ内のレジスタ「ｃ＿ｐｏｌｉｃ＿ｌｏｃｋ＿ｒｅｌ」に格納されている。
【００３６】
前記パスワードが登録されたものと一致したならば、主制御部２０１は表示部２０７に設定選択メニューを表示し（ステップＳ３０５）、選択用のカーソルを表示する（ステップＳ３０６）。使用者は、所望の項目までカーソルを移動し（ステップＳ３０７，ステップＳ３０８）、希望するカーソルを選択・決定する（ステップＳ３０９）。
【００３７】
使用者は、カメラ全体のｐｏｌｉｃｙ定義の変更であるか（ステップＳ３１０）、ｇｒｏｕｐ（グループ）定義の変更であるか（ステップＳ３１１）を選択する。さらに、ｕｓｅｒ（ユーザ）定義の変更であるか（ステップＳ３１２）、或いはその他の定義の変更であるか（ステップＳ３１３）を選択する。該フローは、所望のサブルーチンへと遷移する。
【００３８】
ここで、カメラ全体のｐｏｌｉｃｙ定義とは、非登録使用者（ｇｕｅｓｔ）の振る舞いの制限を定義することである。ｇｒｏｕｐ定義とは、アカウントを持つユーザ同士がリソース（撮影画像等）を共有したり、閲覧を許可し合うために「ｆｒｉｅｎｄ  ｕｓｅｒ」を定義するのもである。ｕｓｅｒ定義とは、管理者である使用者以外に当該デジタルカメラの使用を許可するためのものである（アカウントの作成等）。その他の定義とは、前記制限付管理者では設定を許可されずに真の管理者のみが許可される基本設定等を行う。
【００３９】
（Ｂ）ユーザ定義及びグループ定義
次に、図４を用いて、使用者アカウントの取得処理について説明する。
【００４０】
図４は、図３中のｕｓｅｒ定義の詳細を示すフローチャートである。
【００４１】
図３で説明したステップＳ３１２のｕｓｅｒ定義処理の選択により、処理は該ルーチンへと状態遷移してくる。図４中のステップＳ７０１は、メニュー表示から項目選択までの処理ルーチンであり、ステップＳ７０１の実行後は処理項目が選択されているものとする。該フローでの処理項目としては、新規のｕｓｅｒ定義（ステップＳ７０２）、既存ユーザのアカウントの削除（ステップＳ７０３）、既存ユーザの制限ｐｏｌｉｃｙの変更（ステップＳ７０４）、を例示している。
【００４２】
新規ユーザのアカウントの作成処理（ステップＳ７０５）では、主記憶部２０６内のユーザ・アカウント上に、新規メンバーの「ｕｓｅｒ＿ｉｄ」が発行され、該ｕｓｅｒ用のレジストリ領域が確保される。該ユーザ・アカウント上のユーザとしては、このような登録メンバーの他に、管理者（ａｄｍｉｎ）が存在する。該管理者は、最初から存在する唯一の使用者であり、該カメラの操作・設定の全権を有する（前記した管理者である使用者）。
【００４３】
ステップＳ７０６のｕｓｅｒ登録処理では、前記ステップＳ７０５処理により確保されたｕｓｅｒ用レジストリの各項目にデフォルト値を設定する。勿論、ステップＳ７０５とステップＳ７０６の処理を一括して行っても良い。
【００４４】
ステップＳ７０３でｕｓｅｒ削除処理が選択された場合には、操作者は削除使用者を選択し（ステップＳ７０８）、主制御部２０１は選択された使用者の前記レジストリ領域を放棄する（ステップＳ７０９）。ユーザ・アカウント上の登録の抹消は、前記制限ｐｏｌｉｃｙのレジストリ内容にも反映させる（同ステップＳ７０９）。
【００４５】
既存ユーザのｐｏｌｉｃｙ変更が目的の場合には、ｕｓｅｒ選択を行い（ステップＳ７１０）、処理する対象使用者の情報を取得し（ステップＳ７１１）、表示部２０７に表示させて操作者に変更項目を選択させる（ステップＳ７１２）。選択した内容の変更処理を施し（ステップＳ７２０〜Ｓ７２６）、ステップＳ７０１のメニュー表示へと戻る。
【００４６】
本実施の形態の例示では、ユーザ・パスワード（user password）の登録、所属グループの登録を挙げている。また、「ｕｓｅｒ  ｐｏｌｉｃｙ」の項目として、撮影ファイルの保存許可（撮影操作の許可）、ＣＦカードへのデータ書き出しの許可、ファイル消去の許可、サムネイル表示の許可、及び外部機器からのアクセス許可、等を挙げている。制限使用者は、上記の項目で制限ｐｏｌｉｃｙ上で許可されている動作のみを行うことができる。項目は例示であり、これらに限定されるものではない。
【００４７】
また、ｇｒｏｕｐ定義のフローは、上記したｕｓｅｒ定義のフローと酷似する。即ち、ｇｒｏｕｐ定義のフローは、図４に示したｕｓｅｒ定義のフローチャートにおいて、全て「ｕｓｅｒ」を「ｇｒｏｕｐ」に置き換えて、且つステップＳ７１３及びステップＳ７２０と、ステップＳ７１４及びステップＳ７２１の処理を除去したものとなる。ｇｒｏｕｐ定義とは、制限使用者同士で情報を共有する際に「fｒｉｅｎｄ  ｕｓｅｒ」に対してどのようなｐｏｌｉｃｙを与えるかを定義するものであるから、その定義項目は同一となるのである。
【００４８】
（Ｃ）その他の定義
図５は、前記その他の定義を示すフローチャートである。ここでは、ロック解除定義への遷移と工場設定に戻す初期化動作への遷移を例示している。
【００４９】
この図５に示すその他の定義におけるステップＳ４０１からステップＳ４０４までの処理は、前述した図３のステップＳ３０１からステップＳ３０４までと等価な処理である。レジストリの同一レジスタを使用しても良いし、別途定義しても良い。別途定義した方が高セキュリティである。
【００５０】
管理者認証（ステップＳ４０１及びステップＳ４０２）を終えると、主制御部２０１は、メニュー表示（ステップＳ４０５）と、カーソル表示（ステップＳ４０６）を行う。使用者はメニュー項目より適宜項目選択を行い（ステップＳ４０６〜ステップＳ４０９）、主制御部２０１は、その設定サブルーチンへと遷移する（ステップＳ４１０，ステップＳ４１１）。以下に、ロック解除定義を例にとって説明する。
【００５１】
図６は、図５のロック解除定義の詳細を示すフローチャートである。ここでは、図３中のステップＳ３０４でロックしたカメラ制御のロックを解除する方法を定義する。
【００５２】
まず、表示部２０７に該解除選択肢が表示される（ステップＳ５０１）。使用者は、カーソルを移動して所望の項目を選択する（ステップＳ５０２〜ステップＳ５０５）。本実施の形態では、使用者に対して時間経過で解除（ステップＳ５０６）、パスワード入力で解除（ステップＳ５０７）、部材操作で解除（ステップＳ５０８）、の選択肢を提供している。勿論、選択肢はこれに制限されるものではない。前記部材操作で解除とは、例えばシャッター釦とメニュー釦を同時に長押しする、などの方法によるものであり、選択対象部材の範囲及び操作方法についてはここでは言及しない。
【００５３】
主制御部２０１は、前記解除選択肢の選択結果に基づいて、サブルーチンであるステップＳ５１０、ステップＳ５１１、ステップＳ５１２へと処理を適宜遷移する。これらサブルーチンの実行結果は、前記制限ｐｏｌｉｃｙのレジストリ領域２０６２内の例えば解除時間設定レジスタとして「ｃ＿ｐｏｌｉｃ＿ｌｏｃｋ＿ｒｅｌ＿ｔｉｍｅ」に反映・格納される。さらに、例えばパスワード設定レジスタとして「ｃ＿ｐｏｌｉｃ＿ｌｏｃｋ＿ｒｅｌ＿ｐｓｗｄ」に、例えば部材指定レジスタとして「ｃ＿ｐｏｌｉｃ＿ｌｏｃｋ＿ｒｅｌ＿ｐｒｔｓ」にも、それぞれ反映・格納される。また、どの解除定義が有効となったかは、例えばロック解除定義レジスタとして「ｃ＿ｐｏｌｉｃ＿ｌｏｃｋ＿ｒｅｌ」に記憶される。なお、レジスタ及びその名称は、一例として挙げている。それに限定されるものではない。また、適宜新たにレジスタを追加することは容易に可能である。
【００５４】
また、前述の「ａｄｍｉｎ＿ｐａｓｓｗｄ」及び「ｕｓｅｒ＿ｐａｓｓｗｄ」の類の設定について、認証設定事項（attestation number）としては、カメラ部材による入力を考慮する必要がある。カメラ単体で素早く入力処理を実行できることが望まれる。実際に、メニュー選択用の方向釦が搭載されているのならばそれを用いて文字入力に対応することも可能である。
【００５５】
パスワード（password）については、レジスタ「ａｄｍｉｎ＿ｐａｓｓｗｄ」，「ｕｓｅｒ＿ｐａｓｓｗｄ」等に格納されるときは、認証番号（attestation number）の数値としてであるので、独自に認証可能ならば文字入力には拘らない。例えば、ファインダ搭載カメラの体裁を採っていれば、該ファインダ内部に人間の虹彩を認識するセンサを具備しても良いし、指紋検出の機能を搭載しても良い。その入力情報を数値化して格納すれば良い。カメラ部材の併用又はカメラに搭載可能であるセンサ等部材による上記認証の他に、ネットワークによる認証等を実施しても良い。これらは、前述した認証設定時だけでなく、後述する認証処理時にも当て嵌まる。
【００５６】
＜カメラ使用時の認証処理＞
次に、実用面での処理として、カメラ使用時の認証処理について説明する。この認証処理では、上述した「認証手続きの設定」よる方法により図２のレジストリに適当な内容を設定した図７に示すようなレジストリを使用するものとする。
【００５７】
（Ａ）レジストリ例示
図７は、図１中の主記憶部２０６に格納されるユーザ・アカウント及び制限ｐｏｌｉｃｙの設定例を示すレジスタ構成図である。ここでは、管理者（Ａｄｍｉｎ）の他に、制限使用者：Ｔａｒｏ及び未登録使用者（ｇｕｅｓｔ＿ｕｓｅｒ）の定義を行っている。また、「Ｔａｒｏ」の所属するグループＧ１１の定義を行っている。
【００５８】
図７に示すように、ユーザ・アカウントのレジストリ領域２０６１には、グループ（ｇｒｕｒｐ）定義として前記グループＧ１１、メンバー（ｍｅｍｂｅｒ）定義として「ａｄｍｉｎ」及び「Ｔａｒｏ」がそれぞれ定義されている。制限使用者：Ｔａｒｏは、パスワード（ｕｓｅｒ＿ｐａｓｓｗｄ）と、制限ｐｏｌｉｃｙ（ｕｓｅｒ＿ｐｏｌｉｃ＿ｉｄ：  Ｔａｒｏ＿ｐｏｌｉｃｙ）と、グループ（ｕｓｅｒ＿ｇｒｏｕｐ＿ｉｄ：Ｇ１１）とが登録されている。「Ｔａｒｏ」は、「Ｔａｒｏ＿ｐｏｌｉｃｙ」に従い、グループＧ１１に所属する使用者である。
【００５９】
また、「Ｔａｒｏ」の所属するグループＧ１１は、現在、グループメンバー「ｇｒｏｕｐ＿ｍｅｍｂｅｒ」として、「Ａｄｍｉｎ」、「Ｔａｒｏ」、及び「ｇｕｅｓｔ」が登録されており、制限ｐｏｌｉｃｙとしては、「Ｇ１１＿ｐｏｌｉｃｙ」に従う。したがって、「Ｔａｒｏ」は、「Ｇ１１＿ｐｏｌｉｃｙ」規定下でのグループＧ１１のリソースの使用が認められる。
【００６０】
一方、制限ｐｏｌｉｃｙのレジストリ領域２０６２には、前述の「ｃａｍｅｒａ＿ｐｏｌｉｃｙ」と、「ｕｓｅｒ＿ｐｏｌｉｃｙ」と、「ｇｒｏｕｐ＿ｐｏｌｉｃｙ」の定義が格納されている。図７の例示では、「ｃａｍｅｒａ＿ｐｏｌｉｃｙ」として、パスワード試行回数（ｃ＿ｐｏｌｉｃ＿ｌｏｃｋ＿ｎｕｍ）を３回としている。加えて、ロック解除方法（ｃ＿ｐｏｌｉｃ＿ｌｏｃｋ＿ｒｅｌ）を時間経過、経過時間設定（ｃ＿ｐｏｌｉｃ＿ｌｏｃｋ＿ｒｅｌ＿ｔｉｍｅ）を３０分としている。また、登録使用者以外の未登録使用者が、未登録使用者「ｇｕｅｓｔ」として本カメラ機器を扱う場合のリソース供出の定義が「ｇｕｅｓｔ＿ｐｏｌｉｃｙ」以下のレジスタに格納される。
【００６１】
図７の例示では、未登録使用者「ｇｕｅｓｔ」に対して、撮影と主記憶部２０６への書き込み要求（ｃ＿ｐｏｌｉｃ＿ｆｗｒ）を禁止、メモリカード等のメディアへの書き込みなど機器外部への書き込み要求（ｃ＿ｐｏｌｉｃ＿ｆｒｄ）を禁止と定義している。さらに、主記憶部２０６へのファイル削除要求（ｃ＿ｐｏｌｉｃ＿ｆｄｅｌ）を禁止、表示部２０７へのサムネイル表示要求（ｃ＿ｐｏｌｉｃ＿ｔｈｕｍｂ）を許可と定義している。加えて、ネットワーク接続要求（ｃ＿ｐｏｌｉｃ＿ｌｏｇｉｎ）を禁止と定義している。つまり、未登録使用者は、グループＧ１１に所属する登録ユーザの撮影した画像を表示部２０７により表示して見ることのみが許されている。
【００６２】
さらに、図７の例示では、「ｕｓｅｒ＿ｐｏｌｉｃｙ」として、前記「Ｔａｒｏ」に対する「Ｔａｒｏ＿ｐｏｌｉｃｙ」が定義されている。そして、前記「Ｔａｒｏ」に対して、撮影と主記憶部２０６への書き込み要求（ｕ＿ｐｏｌｉｃ＿ｆｗｒ）を許可、メモリカード等のメディアへの書き込みなど機器外部への書き込み要求（ｕ＿ｐｏｌｉｃ＿ｆｒｄ）を許可、と定義している。さらに、主記憶部２０６へのファイル削除要求（ｕ＿ｐｏｌｉｃ＿ｆｄｅｌ）を禁止、表示部２０７へのサムネイル表示要求（ｕ＿ｐｏｌｉｃ＿ｔｈｕｍｂ）を許可、ネットワーク接続要求（ｕ＿ｐｏｌｉｃ＿ｌｏｇｉｎ）を禁止、と定義している。つまり、制限使用者：Ｔａｒｏに対しては、撮影及びメディアへの書き出しを許可しているが、一旦記録したファイルについてはその削除を禁止している。また、表示部２０７への表示は許可されている。ネットワークからのログインは禁止されているので、ネットワークを経由してのファイルデータの取り出しは行えない。
【００６３】
また、図７の例示では、「ｇｒｏｕｐ＿ｐｏｌｉｃｙ」として前記グループＧ１１に対する「Ｇ１１＿ｐｏｌｉｃｙ」が定義されている。該グループのｐｏｌｉｃｙ定義は、撮影と主記憶部２０６への書き込み要求（ｇ＿ｐｏｌｉｃ＿ｆｗｒ）を禁止、メモリカード等のメディアへの書き込みなど機器外部への書き込み要求（ｇ＿ｐｏｌｉｃ＿ｆｒｄ）を禁止と定義している。さらに、主記憶部２０６へのファイル削除要求（ｇ＿ｐｏｌｉｃ＿ｆｄｅｌ）を禁止、表示部２０７へのサムネイル表示要求（ｇ＿ｐｏｌｉｃ＿ｔｈｕｍｂ）を許可、ネットワーク接続要求（ｇ＿ｐｏｌｉｃ＿ｌｏｇｉｎ）を禁止、と定義している。つまり、制限使用者：Ｔａｒｏは、「Ａｄｍｉｎ」及び「ｇｕｅｓｔ」の撮影したファイルを表示部２０７で閲覧のみできる。ちなみに、前記「Ａｄｍｉｎ」は管理者であるのでグループＧ１１に所属するが、「Ｔａｒｏ」と「ｇｕｅｓｔ」のそれぞれ残した撮影リソースについて全権でアクセス可能である。
【００６４】
（Ｂ）メイン処理
図８は、本実施の形態におけるデジタルカメラのメイン処理の要部を示すフローチャートであり、カメラの電源立ち上げからｐｏｌｉｃｙ適用までの抜粋を示している。この処理を実現するための制御プログラムはＲＯＭ２０２に格納され、制御判定部２０１１を含む主制御部２０１によって読み出されて実行される。
【００６５】
本実施の形態におけるデジタルカメラは、電源投入後に、各電気信号の安定化を管理するパワーオン処理を実行する（ステップＳ１００１）。そして、主制御部２０１や周辺制御部２０４など各制御部のパラメータの初期化や、スイッチ類及びインタフェースの状態を把握・管理するイニシャル処理を実行する（ステップＳ１００２）。
【００６６】
その後、本実施の形態の特徴である、ユーザ認証の要求処理を実行する（ステップＳ１００３）。ここでは、前述したように、パスワードや虹彩・指紋等（人間の特徴となる入力情報）の入力を行う。そして、制御判定部２０１１は、該入力情報がレジストリされた情報内に存在するか否かを判定する。すなわち、その入力情報を数値情報として、レジストリ領域２０６１内における「ｍｅｍｂｅｒ」以下に配置されている各使用者の認証情報（例えば、Ｔａｒｏ：「ｕｓｅｒ＿ｐａｓｓｗｄ」等）と比較し、該入力情報が存在するかを判定する。
【００６７】
もし前記入力情報が管理者「Ａｄｍｉｎ」のものであれば（ステップＳ１００４）、管理者「Ａｄｍｉｎ」のｐｏｌｉｃｙ適用処理（ステップＳ１００５）を実行する。前記入力情報が制限使用者「Ｔａｒｏ」のものならば（ステップＳ１００６）、「Ｔａｒｏ」のｐｏｌｉｃｙ適用処理（ステップＳ１００７）を実行する。もし、登録にない使用者のものであれば、その使用者を未登録使用者「ｇｕｅｓｔ」として認識し、未登録使用者「ｇｕｅｓｔ」のｐｏｌｉｃｙ適用処理を実行する（ステップＳ１００８）。
【００６８】
管理者「Ａｄｍｉｎ」のｐｏｌｉｃｙ適用処理（ステップＳ１００５）、制限使用者「Ｔａｒｏ」のｐｏｌｉｃｙ適用処理（ステップＳ１００７）を終了したならば、カメラは動作モードが決定するまでスタンバイ状態となる。また、未登録使用者「ｇｕｅｓｔ」のｐｏｌｉｃｙ適用処理（ステップＳ１００８）を終了した場合も同様である。
【００６９】
使用者が管理者「Ａｄｍｉｎ」であれば、前記図３の認証手続き設定への遷移も可能である。その際には、レジスタ「ｃ＿ｐｏｌｉｃ＿ａｄｍｉｎ＿ｐａｓｓｗｄ」の入力が求められ、試行が３回を超えた場合にはカメラのユーザインタフェースはロックされて入力操作は受け付けられなくなる。前記図７の例示では３０分放置することによりロックが解除されるように設定されている。
【００７０】
（Ｃ）割り込み処理
スタンバイ状態のカメラに対して、使用者のアクションがあった場合にはそれに応答する処理を実行する。これを割り込み処理として以下に説明する。
【００７１】
図９は、本実施の形態における割り込み処理の一例を示すフローチャートであり、未登録使用者（ｇｕｅｓｔ）の操作に対するカメラの処理応答（要部）を示している。図１０は、図９のモード選択処理（ステップＳ１１０２）の詳細を示すフローチャートである。
【００７２】
まず未登録使用者の要求が撮影・表示・設定等のモード選択であれば（ステップＳ１１０１）、図１０のモード選択処理ルーチンへと遷移する（ステップＳ１１０２）。もし、カメラ本体に搭載されたカードメディアスロットへのメモリカードの挿抜が検知された場合には（ステップＳ１１０３）、未登録使用者へのファイルリード／ライトアクセスは禁止されているので、禁止処理を実行する（ステップＳ１１０４）。禁止処理としては、例えば要求処理を制限ｐｏｌｉｃｙに従って遮断し、未登録使用者に対してその操作・行為が禁止されている旨の表示を表示部２０７に行う等が挙げられる。
【００７３】
同様に、ネットワークへの（又は、ネットワークからの）アクセス要求があった場合には（ステップＳ１１０５）、その操作・行為に対しても前記禁止処理（ステップＳ１１０４）を実施する。ネットワークへのアクセスの検知とは、例えば、ネットワークケーブルやカードの挿抜、ハードウェア又はソフトウェア的にネットワーク設定をしようとする行為などを指す。
【００７４】
図７の設定例では、「ｃ＿ｐｏｌｉｃ＿ｔｈｕｍｂ」は許可設定されている。即ち、前記未登録使用者は、サムネイル表示を許可されているので、その設定に対しては応答する必要がある。そこで、前記未登録使用者がモード選択動作を実行（前記ステップＳ１１０１）したときには、モード選択処理を実施する（前記ステップＳ１１０２）。
【００７５】
該モード選択処理では、図１０に示すように、まず、前述したようにメニュー表示とカーソル移動によって選択モードを検出する（ステップＳ１１１０１）。選択モードが撮影要求であるならば（ステップＳ１１１１）、それは、未登録使用者に対して禁止されているので（図７の設定例）、禁止処理（ステップＳ１１１２）へと遷移する。この禁止処理は、図９の前記ステップＳ１１０４と同処理である。
【００７６】
もし、選択モードがサムネイル表示要求であれば（ステップＳ１１１３）、該要求は前記未登録使用者に対して許可されているので表示可能であり、ファイルを選択・サムネイル表示する処理を実行する（ステップＳ１１１４）。サムネイル表示で選択された画像のファイルを消去する要求が発生した場合には（ステップＳ１１１５）、前記未登録使用者に対しては禁止されている処理であるので禁止処理（ステップＳ１１１２）へと遷移する。サムネイル表示処理の終了要求が発生したら（ステップＳ１１１６）、表示を停止し該フローを終了する。
【００７７】
なお、図１０では説明の簡素化のために、ファイル消去要求（ステップＳ１１１５）を当該割り込み処理中に挿入したが、実際には、メニューを選択する処理など別処理のフローに存在しても良い。
【００７８】
＜本実施の形態の利点＞
本実施の形態によれば、主記憶部２０６内にユーザ・アカウント情報と制限ｐｏｌｉｃｙの２つの認証情報を保持する。そして、装置全体を制御する制御部２０１内に具備する制御判定部２０１１は、この２つの認証情報を制御動作の判断基準として用いる。即ち、本実施の形態のデジタルカメラは、使用者に対して前記ユーザ・アカウント情報に基づく認証を行い、その結果反映すべき前記使用者に対する制限ｐｏｌｉｃｙを選択する。そして、前記使用者のカメラ操作に対して制御判定部２０１１は、前記制限ｐｏｌｉｃｙにより許可された制御動作のみを前記使用者に対して提供するようにした。
【００７９】
これにより、一台のデジタルカメラを使用して、複数の使用者がそれぞれの制限ｐｏｌｉｃｙに基づいて、撮影動作や、サムネイル閲覧、データの受け取り等を行うことができるようになり、デジタルカメラの共用性を実現することが可能になる。具体的には、カメラ自体は、誰もが撮影を許可されるように設定することも可能であり、そのようにした場合でも、特定の使用者のみがカメラ外に撮影画像を持ち出すことを許可する設定も可能である。つまり、デジタルカメラの持ち主等の代表者が管理者となり、管理者以外の一般使用者（及びグループ）に対して、どの様にカメラを使用するのかを適宜管理することができる。さらに、この概念は、ネットワーク接続時にも適用することが容易であり、ネットワークを介した第三者へのサービスも安全に実行することが可能となる。
【００８０】
また、主記憶部２０６を不揮発性とすることで、容易にＣＦカード等の記憶メディアへのデータ書き込みを禁止することが可能となる。制限判定部２０１１が直接周辺制御部２０４へのステータス制御に関与することで、機器外部のアクセスに対しても制限が可能となる。
【００８１】
なお、本発明の目的は、実施形態の機能を実現するプログラムコードを記録した記憶媒体をシステム或いは装置に供給し、そのシステム或いは装置のコンピュータが前記プログラムコードを読み出して実行することによっても達成される。
【００８２】
この場合、記憶媒体から読み出されたプログラムコード自体が前述した実施の形態の機能を実現することになり、そのプログラムコード及び該プログラムコードを記憶した記憶媒体は本発明を構成することになる。
【００８３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷを用いることができる。また、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等も用いることができる。又は、プログラムコードをネットワークを介してダウンロードしても良い。
【００８４】
また、本発明は、コンピュータが読み出したプログラムコードを実行することにより、上記実施の形態の機能が実現されるだけでなく、次のような場合も含まれる。即ち、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００８５】
更に、記憶媒体から読み出されたプログラムコードが、機能拡張ユニットに備わるメモリに書き込まれた後、そのプログラムコードの指示に基づき、その機能拡張ユニットに備わるＣＰＵ等が実際の処理を行い、その処理によって前述した実施形態の機能が実現される場合も含まれる。
【００８６】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００８７】
【図１】実施の形態におけるデジタルカメラの要部構成を示すブロック図である。
【図２】ユーザ・アカウント及び制限ｐｏｌｉｃｙの定義例を示すレジスタ構成図である。
【図３】認証手続き設定の全体的な処理を示すフローチャートである。
【図４】図３中のｕｓｅｒ定義の詳細を示すフローチャートである。
【図５】その他の定義を示すフローチャートである。
【図６】図５のロック解除定義の詳細を示すフローチャートである。
【図７】ユーザ・アカウント及び制限ｐｏｌｉｃｙの設定例を示すレジスタ構成図である。
【図８】実施の形態におけるデジタルカメラのメイン処理の要部を示すフローチャートである。
【図９】実施の形態における割り込み処理の一例を示すフローチャートである。
【図１０】図９のモード選択処理の詳細を示すフローチャートである。
【符号の説明】
【００８８】
２０１  主制御部
２０２  ＲＯＭ
２０３  副記憶部
２０４  周辺制御部
２０５  撮像・画像処理部
２０６  主記憶部
２０７  表示部
２０６１  ユーザ・アカウント用のレジストリ領域
２０６２  制限ｐｏｌｉｃｙ用のレジストリ領域
２０１１  制御判定部
【図１】
2007142655.tif 000003
【図２】
2007142655.tif 000004
【図３】
2007142655.tif 000005
【図４】
2007142655.tif 000006
【図５】
2007142655.tif 000007
【図６】
2007142655.tif 000008
【図７】
2007142655.tif 000009
【図８】
2007142655.tif 000010
【図９】
2007142655.tif 000011
【図１０】
2007142655.tif 000012